(57)【要約】【課題】火災時に内召合せ框と外召合せ框の間に隙間が生じるのを抑制でき、且つ、通常時に強風等でこれら召合せ框に反りや捩れが生じても障子を容易に開閉できる建具を提供すること。【解決手段】見付け方向に開閉可能な内障子２０及び外障子３０を備える引違い窓１において、内召合せ框２３及び外召合せ框３３に設けられ、これら召合せ框の見付け方向の移動を規制する規制部７０を備え、規制部７０は、所定温度以上で溶融する温度ヒューズとしての塞ぎ部材７１２を備え、この塞ぎ部材７１２が溶融した場合、各召合せ框の見付け方向の移動を規制することを特徴とする引違い窓１である。【選択図】図３
2016017390.tif 000002
【特許請求の範囲】
【請求項１】
見付け方向に開閉可能な障子を備える建具において、
召合せ框に設けられ、前記召合せ框の見付け方向の移動を規制する規制部を備え、
前記規制部は、所定温度以上で溶融する温度ヒューズを備え、この温度ヒューズが溶融した場合、前記召合せ框の見付け方向の移動を規制することを特徴とする建具。
【請求項２】
前記召合せ框は、内召合せ框及び外召合せ框で構成され、
前記規制部は、
前記内召合せ框に設けられた内係合部と、
前記外召合せ框に設けられ且つ前記内係合部と見付け方向に係合可能な外係合部と、を備え、
前記温度ヒューズは、前記内係合部及び前記外係合部のうち少なくとも一方の係合部を塞ぐことで、前記所定温度未満の場合における前記内係合部と前記外係合部の係合を禁止する樹脂製の塞ぎ部材であることを特徴とする請求項１に記載の建具。
【発明の詳細な説明】
【技術分野】
【０００１】
本発明は、建具に関する。詳しくは、召合せ框に煙返し部を備える建具に関する。
【背景技術】
【０００２】
従来、召合せ框に煙返し部を備える建具が提案されている（例えば、特許文献１参照）。特許文献１の建具は、内障子の煙返し部の先端部に設けられ、屋内側に向かって突出する突起部と、外障子の煙返し部の先端部に設けられ、屋外側に向かって突出する突起部と、を備える。そのため、火災時に、内召合せ框と外召合せ框が熱膨張して見付け方向に互いに離隔する方向に移動したときに、突起部同士が当接し合って係合することで、その移動が規制される。これにより、内召合せ框と外召合せ框が互いに離隔して隙間が生じるのが抑制される。
【先行技術文献】
【特許文献】
【０００３】
【特許文献１】特開２０１３−２２４５１８号公報
【発明の概要】
【発明が解決しようとする課題】
【０００４】
しかしながら、特許文献１の建具では、建具が高温に晒されていない通常時において、強風等で一方の召合せ框に反りや捩れが生じると、突起部同士が当接し合って係合することで障子の開閉が困難になる場合があった。
【０００５】
本発明は上記に鑑みてなされたものであり、その目的は、火災時に内召合せ框と外召合せ框の間に隙間が生じるのを抑制でき、且つ、通常時に強風等で召合せ框に反りや捩れが生じても障子を容易に開閉できる建具を提供することにある。
【課題を解決するための手段】
【０００６】
上記目的を達成するため本発明は、見付け方向に開閉可能な障子（例えば、後述の内障子２０，外障子３０）を備える建具（例えば、後述の引違い窓１，１Ａ）において、召合せ框（例えば、後述の内召合せ框２３，２３Ａ，外召合せ框３３，３３Ａ）に設けられ、前記召合せ框の見付け方向の移動を規制する規制部（例えば、後述の規制部７０，７０Ａ）を備え、前記規制部は、所定温度以上で溶融する温度ヒューズ（例えば、後述の塞ぎ部材７１２，カバー材７０５）を備え、この温度ヒューズが溶融した場合、前記召合せ框の見付け方向の移動を規制することを特徴とする建具を提供する。
【０００７】
前記召合せ框は、内召合せ框（例えば、後述の内召合せ框２３，２３Ａ）及び外召合せ框（例えば、後述の外召合せ框３３，３３Ａ）で構成され、前記規制部は、前記内召合せ框に設けられた内係合部（例えば、後述の第１内係合部７１１ａ，第２内係合部７１１ｂ，内係合装置７００）と、前記外召合せ框に設けられ且つ前記内係合部と見付け方向に係合可能な外係合部（例えば、後述の第１外係合部７２１ａ，第２外係合部７２１ｂ，外煙返し片７２０Ａ）と、を備え、前記温度ヒューズは、前記内係合部及び前記外係合部のうち少なくとも一方の係合部を塞ぐことで、前記所定温度未満の場合における前記内係合部と前記外係合部の係合を禁止する樹脂製の塞ぎ部材（例えば、後述の塞ぎ部材７１２，カバー材７０５）であることが好ましい。
【発明の効果】
【０００８】
本発明によれば、火災時に内召合せ框と外召合せ框の間に隙間が生じるのを抑制でき、且つ、通常時に強風等で召合せ框に反りや捩れが生じても障子を容易に開閉できる建具を提供できる。
【図面の簡単な説明】
【０００９】
【図１】本発明の第１実施形態に係る引違い窓を屋内側から見た正面図である。
【図２】本発明の第１実施形態に係る引違い窓の縦断面図である。
【図３】本発明の第１実施形態に係る引違い窓の横断面図である。
【図４】本発明の第１実施形態に係る引違い窓の規制部の拡大図である。
【図５】本発明の第１実施形態に係る引違い窓の塞ぎ部材の取り付け方法を示す図である。
【図６】本発明の第１実施形態に係る引違い窓の動作を示す図である。
【図７】本発明の第２実施形態に係る引違い窓の内煙返し部、外煙返し部及び規制部を示す図であり、（ａ）が断面図、（ｂ）が側面図である。
【図８】本発明の第２実施形態に係る引違い窓の内係合装置の斜視図である。
【図９】本発明の第２実施形態に係る引違い窓の動作を示す図であり、（ａ）が断面図、（ｂ）が側面図である。
【発明を実施するための形態】
【００１０】
［第１実施形態］
以下、本発明の第１実施形態について、図面を参照しながら詳細に説明する。
なお、本明細書において、「見付け方向」とは、建物の壁に形成された開口部に納められる建具の正面に沿う左右方向を意味し、「見込み方向」とは、建具の正面に直交する奥行き方向を意味する。
【００１１】
本実施形態は、本発明に係る建具を、ビル等の引違い窓に適用したものである。ここで、図１は、本実施形態に係る引違い窓１を室内側から見た正面図である。より詳しくは、図１は、内障子２０及び外障子３０を閉鎖したときの本実施形態に係る引違い窓１を、室内側から見た正面図である。
【００１２】
本実施形態に係る引違い窓１は、例えばビル等の建物の壁に形成された開口部に納められる。図１に示すように、引違い窓１は、いずれも長尺状の上枠１００、下枠２００及び左右の縦枠３００，４００により矩形に枠組みされた窓枠１０と、該窓枠１０内に開閉可能に嵌め込まれた内障子２０及び外障子３０と、を備える。
【００１３】
窓枠１０は、例えばアルミで構成される。より詳しくは、窓枠１０を構成する上枠１００、下枠２００及び左右の縦枠３００，４００は、例えばアルミの押出し成形部材で構成される。
【００１４】
内障子２０は、いずれも長尺状の上框２１、下框２２及び左右の縦框である内召合せ框２３，戸先框２４により矩形に枠組みされた框体２５と、框体２５内に嵌め込まれて固定されたガラス２６と、を含んで構成される。
外障子３０は、いずれも長尺状の上框３１、下框３２及び左右の縦框である外召合せ框３３，戸先框３４により矩形に枠組みされた框体３５と、框体３５内に嵌め込まれて固定されたガラス３６と、を含んで構成される。
【００１５】
框体２５，３５は、例えばアルミ等の非鉄金属製部材で構成される。これらの框体を構成する上記の各框は、例えばアルミ等の押出し成形部材で構成される。
【００１６】
内障子２０及び外障子３０は、召合せ部に戸締り用のクレセント錠４０を備える。これら内障子２０及び外障子３０は、いずれも見付け方向にスライド移動させることで開閉可能な引き戸である。即ち、これら内障子２０及び外障子３０を見付け方向にスライド移動させることで、開口部が閉鎖又は開放される。
【００１７】
なお、図１中に丸印で示すように、召合せ框を構成する内召合せ框２３及び外召合せ框３３は、上下方向に離隔して配置された規制部７０を４つ備える。規制部７０は、所定温度（本明細書では、火災等により召合せ框が変形移動する程度の高温を意味する。）以上で溶融する温度ヒューズとしての塞ぎ部材を備え、この温度ヒューズが溶融した場合、内召合せ框２３及び外召合せ框３３の見付け方向の移動を規制する。この規制部７０は、クレセント錠４０の取り付け位置に応じて、内召合せ框２３と外召合せ框３３の間に隙間が生じ易い部位に複数配置される。規制部７０の詳細な構造については、後段で詳述する。
【００１８】
図２は、本実施形態に係る引違い窓１の縦断面図である。より詳しくは、内障子２０と外障子３０のうち少なくとも一方を開けたときに両障子が重なっている部分の縦断面図である。図２に示すように、内障子２０及び外障子３０は、それぞれ単層ガラスとしてのガラス２６，３６を備える。
【００１９】
上枠１００は、上枠本体１１０と、上枠屋内側部１１１と、上枠屋外側部１１２と、内障子用ガイドレール１１３と、外障子用ガイドレール１１４と、を備える。
【００２０】
上枠本体１１０は、見込み方向に延びて設けられ、後述の上枠屋内側部１１１と上枠屋外側部１１２とを連結する。
上枠屋内側部１１１は、上枠本体１１０の屋内側端部において上下に延びて設けられ、後述の上端部キャップ９２１ｆを介して、内障子２０の上框２１の上端部を覆っている。
上枠屋外側部１１２は、上枠本体１１０の屋外側端部に上下において延びて設けられ、外障子３０の上框３１の上端部を覆っている。
【００２１】
内障子用ガイドレール１１３は、上枠本体１１０の屋内側の下部から下方に垂設される。この内障子用ガイドレール１１３は、内障子２０の上端部に取り付けられた上部振れ止め部材５１に係合する。これにより、内障子２０が窓枠１０内を見付け方向にスライド移動する際のガタつきが抑制される。
外障子用ガイドレール１１４は、上枠本体１１０の屋外側の下部から下方に垂設される。この外障子用ガイドレール１１４は、外障子３０の上端部に取り付けられた上部振れ止め部材５２に係合する。これにより、外障子３０が窓枠１０内を見付け方向にスライド移動する際のガタつきが抑制される。
【００２２】
下枠２００は、下枠本体２１０と、内障子用ガイドレール２１１と、外障子用ガイドレール２１２と、を備える。
【００２３】
下枠本体２１０は、屋内側に形成された断面略矩形状のホロー構造の中空部２１０ａと、該中空部２１０ａの屋外側下端から屋外側に向かうに従い下方に傾斜して延びる傾斜部２１０ｂと、を備える。
【００２４】
内障子用ガイドレール２１１は、中空部２１０ａの屋外側上端に立設される。内障子用ガイドレール２１１には、内障子２０の底部に取り付けられた戸車５３が転動可能に係合する。これにより、内障子２０が窓枠１０内を見付け方向にスムーズにスライド移動可能となっている。
外障子用ガイドレール２１２は、傾斜部２１０ｂの屋外側に立設される。外障子用ガイドレール２１２には、外障子３０の底部に取り付けられた戸車５４が転動可能に係合する。これにより、外障子３０が窓枠１０内を見付け方向にスムーズにスライド移動可能となっている。
【００２５】
内障子２０の上框２１は、外障子３０の上框３１と同一の構成であり、内障子２０の下框２２は、外障子３０の下框３２と略同一の構成である。従って、互いに対応する構成については同一の規則性を持って符号を付し、以下では内障子２０の上框２１及び下框２２についてのみ、詳しく説明する。
【００２６】
上框２１は、上框本体９２１ａと、一対の上框垂設部９２１ｂ，９２１ｃと、一対の上框立設部９２１ｄ，９２１ｅと、を備える。
【００２７】
上框本体９２１ａは、中空のホロー構造を有する。上框本体９２１ａは、ガラス２６の真上に配置される。
【００２８】
一対の上框垂設部９２１ｂ，９２１ｃは、上框本体９２１ａの下面から下方に垂設される。一対の上框垂設部９２１ｂ，９２１ｃの先端部間で、ガラス２６の上端部が挟持される。
なお、上框２１の屋内側には、屋内に向かって突出する上端部キャップ９２１ｆが取り付けられている。
【００２９】
一対の上框立設部９２１ｄ，９２１ｅは、上框本体９２１ａの上面に立設される。一対の上框立設部９２１ｄ，９２１ｅ間には、上部振れ止め部材５１が設けられ、この上部振れ止め部材５１に上述の内障子用ガイドレール１１３が係合する。一対の上框立設部９２１ｄ，９２１ｅの先端部には、内障子用ガイドレール１１３に当接する一対の気密材２１ａ，２１ｂが取り付けられる。
【００３０】
下框２２は、下框本体９２２ａと、一対の下框垂設部９２２ｂ，９２２ｃと、一対の下框立設部９２２ｄ，９２２ｅと、を備える。
【００３１】
下框本体９２２ａは、中空のホロー構造を有する。下框本体９２２ａは、ガラス２６の真下に配置される。
下框本体９２２ａの中空部内には、戸車５３が設けられる。この戸車５３は、下框本体９２２ａの下面に形成された開口から下方に突出し、内障子用ガイドレール２１１に転動可能に係合する。これにより、戸車５３が内障子用ガイドレール２１１上を走行することで、内障子２０が窓枠１０内を見付け方向にスライド移動する。
【００３２】
なお、外障子３０の下框本体９３２ａは、内障子２０の下框本体９２２ａと異なり、中空部が上下に連設されている。そのため、戸車５４は、下方の中空部内に設けられる。
【００３３】
一対の下框垂設部９２２ｂ，９２２ｃは、下框本体９２２ａの下面から下方に垂設される。屋内側の下框垂設部９２２ｂの先端部には、下枠本体２１０に当接する気密材２２ａが取り付けられる。
【００３４】
一対の下框立設部９２２ｄ，９２２ｅは、下框本体９２２ａの上面に立設される。一対の下框立設部９２２ｄ，９２２ｅの先端部間で、ガラス２６の下端部が挟持される。
なお、下框２２の屋内側には、屋内に向かって突出する下端部キャップ９２２ｆが取り付けられている。
【００３５】
図３は、本実施形態に係る引違い窓１の横断面図である。より詳しくは、規制部７０が設けられている部分の横断面図である。図３に示すように、縦枠４００は、内障子２０側の内側面に上下方向に延設された縦枠リブ４１１を備える。この縦枠リブ４１１は、内障子２０の戸先框２４の戸先側に取り付けられた中間振れ止め部材６２に当接する。これにより、内障子２０のガタつきが抑制される。
【００３６】
縦枠４００の外障子３０側の上部及び下部には（図３では下部のみ記載）、ストッパー６１が設けられる。このストッパー６１により、外障子３０の開放時に、外障子３０の外召合せ框３３が縦枠４００に衝突するのが回避される。
【００３７】
内障子２０の戸先框２４は、戸先框本体２４１ａと、一対の戸先框延出部２４１ｂ，２４１ｃと、一対の戸先框延出部２４１ｄ，２４１ｅと、を備える。
【００３８】
戸先框本体２４１ａは、中空のホロー構造を有する。戸先框本体２４１ａは、ガラス２６の真横に配置される。
【００３９】
一対の戸先框延出部２４１ｂ，２４１ｃは、戸先框本体２４１ａの戸先側の屋外側端部及び屋内側端部から、縦枠４００側に延出して設けられる。一対の戸先框延出部２４１ｂ，２４１ｃの間には、上述の縦枠リブ４１１に当接する中間振れ止め部材６２が嵌合して取り付けられる。また、屋内側の戸先框延出部２４１ｂの先端部には、縦枠４００に当接する気密材２４ａが取り付けられる。
【００４０】
一対の戸先框延出部２４１ｄ，２４１ｅは、戸先框本体２４１ａからガラス３６側に延出して設けられる。一対の戸先框延出部２４１ｄ，２４１ｅの先端部間で、ガラス２６の戸先側端部（右側端部）が挟持される。
【００４１】
内障子２０の内召合せ框２３は、内召合せ框本体２３１ａと、ガラス溝部２３０と、カバー部材２３２と、を備える。
【００４２】
内召合せ框本体２３１ａは、見込方向に連なる２つの中空部が形成されたホロー構造を有する。内召合せ框本体２３１ａは、ガラス２６の真横に配置される。内召合せ框本体２３１ａは、その屋外側の面に、内煙返し部７１と、後述の外召合せ框３３に当接する気密材２３ａと、を備える。
【００４３】
内煙返し部７１は、上下に亘って通しで延びて設けられる。内煙返し部７１は、内召合せ框本体２３１ａの屋外側の面から屋外側に向かって見込み方向に延びた後、内障子２０の戸先側に向かって屈曲して見付け方向に延びる内煙返し片７１０を備える。内煙返し片７１０は、後述の外煙返し部７２の外煙返し片７２０と見付け方向において重複するラップ代を有するように形成される。
この内煙返し片７１０は、火災時等に内召合せ框２３と外召合せ框３３が見込み方向に変形移動した時に、後述の外煙返し部７２の外煙返し片７２０と見込み方向に係合する。これにより、内召合せ框２３と外召合せ框３３の間に隙間が生じるのが抑制される。
【００４４】
また、内煙返し部７１は、後述の規制部７０を構成する第１内係合部７１１ａと、第２内係合部７１１ｂと、温度ヒューズとしての塞ぎ部材７１２と、を備える。これらの構成については、後段で詳述する。
【００４５】
また、内召合せ框本体２３１ａは、その外障子３０側の見込面に、戸締まり用のクレセント錠４０を備える。
クレセント錠４０は、内召合せ框本体２３１ａの外障子３０側の見込面に取り付けられた基部４３と、操作用レバー４２と、操作用レバー４２に連動して回転し、後述のクレセント受け金具４５に係合するクレセント金具４１と、基部４３に設けられたサブロック４４と、を備える。
【００４６】
ガラス溝部２３０は、内召合せ框本体２３１ａにおけるガラス２６側の屋外側部分に形成される。このガラス溝部２３０により、ガラス２６の召合せ部側端部（左側端部）が挟持される。
カバー部材２３２は、内召合せ框本体２３１ａの屋内側の全面を覆うように設けられる。
【００４７】
外障子３０の外召合せ框３３は、外召合せ框本体３３１ａと、ガラス溝部３３０と、を備える。
【００４８】
外召合せ框本体３３１ａは、見込み方向に連なる２つの中空部が形成されたホロー構造を有する。外召合せ框本体３３１ａは、ガラス３６の真横に配置される。外召合せ框本体３３１ａは、その屋内側の面に、外煙返し部７２を備える。
【００４９】
外煙返し部７２は、上下に亘って通しで延びて設けられる。外煙返し部７２は、外召合せ框本体３３１ａの屋内側の面から屋内側に向かって見込み方向に延びた後、外障子３０の戸先側に向かって屈曲して見付け方向に延びる外煙返し片７２０を備える。外煙返し片７２０は、上述の内煙返し部７１の内煙返し片７１０と見付け方向において重複するラップ代を有するように形成される。
この外煙返し片７２０は、火災時等に内召合せ框２３と外召合せ框３３が見込み方向に変形移動した時に、上述の内煙返し部７１の内煙返し片７１０と見込み方向に係合する。これにより、内召合せ框２３と外召合せ框３３の間に隙間が生じるのが抑制される。
【００５０】
また、外煙返し部７２は、後述の規制部７０を構成する第１外係合部７２１ａと、第２外係合部７２１ｂと、を備える。これらの構成については、後段で詳述する。
【００５１】
ガラス溝部３３０は、外召合せ框本体３３１ａにおけるガラス３６側の屋内側部分に形成される。このガラス溝部３３０により、ガラス３６の召合せ部側端部（右側端部）が挟持される。
ガラス溝部３３０の屋内側部分には、上述の内召合せ框２３に設けられたクレセント錠４０のクレセント金具４１が係合するクレセント受け金具４５が取り付けられる。
【００５２】
外障子３０の戸先框３４の構成は、上述の内障子２０の戸先框２４の構成と同一である。従って、戸先框３４の構成については、戸先框２４の構成に対応させて同一の規則性を持って符号を付し、その説明を省略する。
同様に、縦枠３００の構成は、上述の縦枠４００の構成と同一である。従って、縦枠３００の構成については、縦枠４００の構成に対応させて同一の規則性を持って符号を付し、その説明を省略する。
【００５３】
縦枠３００は、外障子３０側の内側面に上下方向に延設された縦枠リブ３１１を備える。この縦枠リブ３１１は、外障子３０の戸先框３４の戸先側に取り付けられた中間振れ止め部材６４に当接する。これにより、外障子３０のガタつきが抑制される。
【００５４】
なお、中間振れ止め部材６４は、上述の中間振れ止め部材６２と同一の構成である。また、縦枠３００の内障子２０側の上部及び下部に（図３では下部のみ記載）設けられたストッパー６３により、内障子２０の開放時に、上述のクレセント錠４０が縦枠３００に衝突するのが回避され、縦枠３００の損傷やクレセント錠４０の破損が回避される。
【００５５】
次に、本実施形態に係る引違い窓１が備える規制部７０について、詳しく説明する。
図４は、本実施形態に係る引違い窓１の規制部７０の拡大図である。図４に示すように、規制部７０は、第１内係合部７１１ａと、第２内係合部７１１ｂと、温度ヒューズとしての塞ぎ部材７１２と、第１外係合部７２１ａと、第２外係合部７２１ｂと、を備える。
【００５６】
第１内係合部７１１ａは、内召合せ框本体２３１ａの屋外側の面上の段差により形成される。より詳しくは、内煙返し片７１０に対向する内召合せ框本体２３１ａの屋外側の面には凹部２３１ｂが形成されており、これによりガラス溝部２３０の屋外側の面との境界に生じる段差によって、第１内係合部７１１ａが形成される。
第２内係合部７１１ｂは、内煙返し片７１０の先端部が内召合せ框２３側に向かって屈曲した屈曲部７１０ａにより生じる段差によって形成される。
なお、これら第１内係合部７１１ａと第２内係合部７１１ｂは、互いに対向して配置されており、見付け方向の位置は略同一である。
【００５７】
温度ヒューズとしての塞ぎ部材７１２は、内煙返し片７１０と内召合せ框本体２３１ａの屋外側面上の凹部２３１ｂとの間に嵌挿され、第１内係合部７１１ａ及び第２内係合部７１１ｂの両係合部を塞いでいる。塞ぎ部材７１２は、断面視略コ字状であり、開放側の両先端部が先端側ほど外側に若干傾斜する逆テーパ状に形成される。また、塞ぎ部材７１２は、開放側とは反対の底面側の外側に、凸部７１２ａを備える。この凸部７１２ａは、内煙返し片７１０に形成された取り付け孔７１０ｂに嵌合している。
【００５８】
塞ぎ部材７１２の開放側の両先端部の厚み寸法は、第１内係合部７１１ａ及び第２内係合部７１１ｂをそれぞれ形成する各段差の高さ寸法以上に設定される。これにより、塞ぎ部材７１２は、第１内係合部７１１ａ及び第２内係合部７１１ｂを塞ぐことで、上述の所定温度未満の場合において、第１内係合部７１１ａと第２内係合部７１１ｂがそれぞれ後述の第１外係合部７２１ａと第２外係合部７２１ｂに係合するのを禁止する。
【００５９】
塞ぎ部材７１２は、例えばナイロン等の樹脂製部材により構成される。そのため、火災等によって内召合せ框２３及び外召合せ框３３が高温に晒されて上述の所定温度以上となった場合には、塞ぎ部材７１２は溶融して変形し、脱落する。これにより、後述の第１外係合部７２１ａ又は第２外係合部７２１ｂが、第１内係合部７１１ａ又は第２内係合部７１１ｂに係合可能な状態となる。
【００６０】
ここで、図５は、塞ぎ部材７１２の取り付け方法を示す図である。図５に示すように、塞ぎ部材７１２は、内煙返し片７１０の開放側（右側）から、見付け方向にスライドさせ、凸部７１２ａが取り付け孔７１０ｂに嵌合するまで挿入することで、取り付けられる。このとき、上述したように塞ぎ部材７１２は、逆テーパ状に形成されているため、内煙返し片７１０と内召合せ框本体２３１ａの屋外側面上の凹部２３１ｂとの間にスムーズに挿入されて嵌合される。
【００６１】
図４に戻って、第１外係合部７２１ａ及び第２外係合部７２１ｂは、外煙返し片７２０の先端に形成されて屋内外に突出する突起部７２０ａにより形成される。より詳しくは、屋内側における突起部７２０ａと外煙返し片７２０との境界に生じる段差によって、第１外係合部７２１ａが形成される。また、屋外側における突起部７２０ａと外煙返し片７２０との境界に生じる段差によって、第２外係合部７２１ｂが形成される。
【００６２】
次に、上記規制部７０を備える本実施形態の引違い窓１の動作について説明する。
図６は、本実施形態に係る引違い窓１の動作を示す図である。より詳しくは、屋外側で発生した火災により引違い窓１が高温に晒された時の動作を示す図である。
【００６３】
先ず、屋外側で火災が発生すると、内召合せ框２３と比べて外召合せ框３３の方がより高温に晒される。すると、熱膨張によって外召合せ框３３の方がより大きく伸びて撓み、より大きな反りが発生する。その結果、図６に示すように、内召合せ框２３と外召合せ框３３の延設方向の中央部ほど、両召合せ框は見込み方向に互いに離隔する方向に変形移動する。一方、内召合せ框２３と外召合せ框３３の上下端部ほど、両召合せ框は見付け方向に互いに近接する方向に変形移動する。
同時に、両召合せ框は、各上下框の伸び変形による影響を受けて、見付け方向に互いに離隔する方向に変形移動する。
またこのとき、上述したように塞ぎ部材７１２は樹脂製であるため、溶融して脱落する。即ち、各係合部の係合の規制が解除される。
【００６４】
従って、図６に示すように両召合せ框の延設方向の中央部では、内煙返し片７１０と外煙返し片７２０が見込み方向に互いに係合する。これにより、両召合せ框の見込み方向に離隔する方向の変形移動が抑制される。また、第２内係合部７１１ｂと第２外係合部７２１ｂとが見付け方向に係合する。これにより、両召合せ框の見付け方向に離隔する方向の変形移動が抑制される。以上により、両召合せ框間に隙間が発生するのが抑制され、防火性が向上する。
【００６５】
また、図６に示すように両召合せ框の延設方向の上下端部では、内煙返し片７１０が外召合せ框３３の屋内側面に当接して係合するとともに、外煙返し片７２０が内召合せ框２３の屋外側面に当接して係合する。これにより、両召合せ框の見込み方向に離隔する方向の変形移動が抑制される。また、第１内係合部７１１ａと第１外係合部７２１ａとが見付け方向に係合する。これにより、両召合せ框の見付け方向に離隔する方向の変形移動が抑制される。以上により、両召合せ框間に隙間が発生するのが抑制され、防火性が向上する。
【００６６】
本実施形態によれば、以下の効果が奏される。
本実施形態では、両召合せ框に、両召合せ框の見付け方向の移動を規制する規制部７０を設けた。また、規制部７０を、上述の所定温度以上で溶融する温度ヒューズを含んで構成し、この温度ヒューズが溶融した場合に、両召合せ框の見付け方向の移動を規制するように構成した。
これにより、両召合せ框が火災等により高温に晒されて上述の所定温度以上となった場合にのみ、両召合せ框の見付け方向の変形移動を抑制できる。従って本実施形態によれば、火災時に両召合せ框間に隙間が生じるのを確実に抑制できるとともに、上述の所定温度未満の場合に強風等でこれら召合せ框に反りや捩れが生じた場合であっても、障子を容易に開閉できる。
【００６７】
また本実施形態では、内召合せ框２３に設けた第１内係合部７１１ａ及び第２内係合部７１１ｂと、これら第１内係合部７１１ａ及び第２内係合部７１１ｂの両係合部を塞ぐ温度ヒューズとしての樹脂製の塞ぎ部材７１２と、外召合せ框３３に設けた第１外係合部７２１ａ及び第２外係合部７２１ｂと、により、規制部７０を構成した。
これにより、上述の所定温度未満の場合には、第１内係合部７１１ａと第２内係合部７１１ｂが、それぞれ第１外係合部７２１ａと第２外係合部７２１ｂに係合するのが禁止される。また、両召合せ框が火災等により高温に晒されて上述の所定温度以上となった場合には、塞ぎ部材７１２が溶融して脱落し、第１内係合部７１１ａ及び第２内係合部７１１ｂが露出するため、上述の効果がより確実に奏される。
【００６８】
［第２実施形態］
次に、本発明の第２実施形態について、図面を参照しながら詳細に説明する。
本発明の第２実施形態に係る引違い窓１Ａは、内煙返し部７１Ａ、外煙返し部７２Ａ及び規制部７０Ａの構成が第１実施形態と相違する以外は同一の構成である。より詳しくは、第１実施形態では煙返し部に規制部７０を設けたのに対して、本実施形態では煙返し部とは別に規制部７０Ａを構成する内係合装置７００を設けた点が相違する。以下、第１実施形態と同一の構成については第１実施形態と同一の符号を付し、その説明を省略する。
【００６９】
図７は、第２実施形態に係る引違い窓１Ａの召合せ框を示す図であり、（ａ）が断面図、（ｂ）が側面図である。なお、（ｂ）の側面図は、（ａ）の左側面図であり、便宜上、内召合せ框本体２３１ａの側面を省略して示している。
図７の（ａ）に示すように、内煙返し部７１Ａは、内煙返し片７１０Ａや内召合せ框２３の屋外側面に第１内係合部７１１ａや第２内係合部７１１ｂが設けられていない点が第１実施形態と相違する以外は、第１実施形態の内煙返し部７１と同様の構成である。
また、外煙返し部７２Ａは、外煙返し片７２０Ａに第１外係合部７２１ａ及び第２外係合部７２１ｂが設けられていない点が第１実施形態と相違する以外は、第１実施形態の外煙返し部７２と同様の構成である。
【００７０】
規制部７０Ａは、第１内係合部７１１ａ、第２内係合部７１１ｂ、塞ぎ部材７１２、第１外係合部７２１ａ及び第２外係合部７２１ｂにより構成された第１実施形態の規制部７０とは大きく相違する。本実施形態の規制部７０Ａは、外煙返し片７２０Ａと、内係合装置７００と、により構成される。
【００７１】
図８は、本実施形態に係る内係合装置７００の斜視図である。より詳しくは、カバー材７０５を外した内係合装置７００の分解斜視図である。
図８に示すように、内係合装置７００は、本体部７０１と、回転板７０２と、軸部７０３と、巻きばね７０４と、温度ヒューズとしての塞ぎ部材７１２の代わりにカバー材７０５と、を備える。
なお、カバー材７０５を除いて、内係合装置７００の各構成部品は、例えばステンレス等の鉄金属製の部材で構成される。
【００７２】
本体部７０１は、矩形板状に形成される。本体部７０１は、ビス７０１ａ，７０１ａにより、上下２箇所が内召合せ框本体２３１ａのガラス溝部２３０側の側面にビス止めされる。
【００７３】
回転板７０２は、楕円板状に形成される。回転板７０２は、その長手方向の一端側に形成された軸孔７０２ａを有する。回転板７０２は、かかる軸孔７０２ａに軸部７０３が挿通されてかしめられることで、本体部７０１に回転可能に軸支される。
【００７４】
巻きばね７０４は、軸部７０３に巻回され、その一端が本体部７０１の凸部７０１ｂに固定される。また、巻きばね７０４の他端は、回転板７０２の長手方向の他端側に形成された孔７０２ｂに固定される。これにより、回転板７０２には、軸部７０３を中心とした回転方向（図８では反時計回り）の付勢力が付与される。
【００７５】
カバー材７０５は、断面視略Ｌ字状の樹脂製部材により形成される。カバー材７０５は、本体部７０１に取り付けられた回転板７０２と軸部７０３の表面の一部及び側面を覆うように、本体部７０１に取り付けられる。即ち、カバー材７０５は、回転板７０２を塞ぐことで、上述の所定温度未満の場合における回転板７０２と外煙返し片７２０Ａとの係合を禁止する。このとき、回転板７０２は、巻きばね７０４により軸部７０３を中心とした回転方向の付勢力が付与された状態でカバー材７０５により覆われることで、その回転が規制された状態となっている。
【００７６】
また、カバー材７０５は、その長手方向両端に、本体部７０１側に向かうに従い下方に傾斜する係止部７０５ａ，７０５ａを備える。これら係止部７０５ａ，７０５ａに、本体部７０１の長手方向両端に設けられた略Ｌ字状の爪部７０１ｃ，７０１ｃが係止されることで、カバー材７０５が本体部７０１に固定される。
【００７７】
なお、内召合せ框本体２３１ａの屋外側面のうち、内係合装置７００が取り付けられる部位には、開口２３１ｃが形成される。かかる開口２３１ｃには、カバー材７０５の側面が挿通される。
【００７８】
以上の構成を備える本実施形態に係る引違い窓１Ａの動作について、第１実施形態と相違する点を説明する。
図９は、本実施形態に係る引違い窓１Ａの動作を示す図であり、（ａ）が断面図、（ｂ）が側面図である。より詳しくは、屋外側で発生した火災により引違い窓１Ａが高温に晒された時の動作を示す図である。なお、図９の（ａ）では、両召合せ框の延設方向の中央部の断面図を示しており、（ｂ）の側面図は、（ａ）の左側面図であり、便宜上、内召合せ框本体２３１ａの側面を省略して示している。
【００７９】
上述したように、両召合せ框の延設方向の中央部では、両召合せ框は見込み方向に互いに離隔する方向に変形移動する。同時に、両召合せ框は、各上下框の伸び変形による影響を受けて、見付け方向に互いに離隔する方向に変形移動する。
またこのとき、カバー材７０５は樹脂製部材で構成されているため、溶融して脱落する。即ち、回転板７０２の回転規制が解除され、回転板７０２が回転する。すると、図９の（ａ）及び（ｂ）に示すように、内召合せ框本体２３１ａの屋外側面に形成された開口２３１ｃから、回転板７０２が突出する。
【００８０】
従って、両召合せ框の延設方向の中央部では、内煙返し片７１０Ａと外煙返し片７２０Ａが見込み方向に互いに係合する。これにより、両召合せ框の見込み方向に離隔する方向の変形移動が抑制される。また、突出した回転板７０２が、外煙返し片７２０Ａと見付け方向に当接して係合する。これにより、両召合せ框の見付け方向に離隔する方向の変形移動が抑制される。以上により、両召合せ框間に隙間が発生するのが抑制され、防火性が向上する。
【００８１】
なお、両召合せ框の延設方向の上下端部においても、中央部と同様の動作により、両召合せ框の見付け方向に離隔する方向の変形移動が抑制される。また、第１実施形態と同様に、内煙返し片７１０Ａが外召合せ框３３の屋内側面に当接して係合するとともに、外煙返し片７２０Ａが内召合せ框２３の屋外側面に当接して係合することで、両召合せ框の見込み方向に離隔する方向の変形移動が抑制される。
【００８２】
また、図７の（ａ）に戻って、図中に破線で示す回転板７０２の突出位置は、外煙返し片７２０Ａよりもガラス２６の戸先側（右側）となるように設定される。さらには、回転板７０２の突出位置と外煙返し片７２０Ａとの距離Ｄは、内煙返し片７１０Ａと外煙返し片７２０Ａの見付け方向における重複部のラップ代よりも小さく設定される。これにより、上述のように確実に動作する。
【００８３】
本実施形態によれば、第１実施形態と同様の効果が奏される。
【００８４】
なお、本発明は上記実施形態に限定されるものではなく、本発明の目的を達成できる範囲での変形、改良等は本発明に含まれる。
上記第１及び第２実施形態では、本発明を引違い窓に適用したが、これに限定されない。例えば、片引き窓や引き込み窓に適用してもよい。
また上記実施形態では、本発明をアルミサッシ等の非鉄金属製の建具に適用したが、これに限定されない。例えば、樹脂サッシ等の建具に適用してもよい。
また上記第２実施形態では、内係合装置７００の回転板７０２に巻きばね７０４による付勢力を付与したが、これに限定されない。例えば、回転板７０２を偏心させて軸支することで、重力を利用して回転させてもよい。
また上記第２実施形態では、回転板７０２を回転させて突出させたが、これに限定されない。例えば、回転させることなく、圧縮ばねにより単に突出させてもよい。
【符号の説明】
【００８５】
１，１Ａ…引違い窓（建具）
２０…内障子（障子）
２３，２３Ａ…内召合せ框（召合せ框）
３０…外障子（障子）
３３，３３Ａ…外召合せ框（召合せ框）
７０，７０Ａ…規制部
７００…内係合装置（内係合部）
７０５…カバー材（塞ぎ部材）
７１１ａ…第１内係合部（内係合部）
７１１ｂ…第２内係合部（内係合部）
７１２…塞ぎ部材
７２０Ａ…外煙返し片（外係合部）
７２１ａ…第１外係合部（外係合部）
７２１ｂ…第２外係合部（外係合部）
【図１】
2016017390.tif 000003
【図２】
2016017390.tif 000004
【図３】
2016017390.tif 000005
【図４】
2016017390.tif 000006
【図５】
2016017390.tif 000007
【図６】
2016017390.tif 000008
【図７】
2016017390.tif 000009
【図８】
2016017390.tif 000010
【図９】
2016017390.tif 000011